(57)【要約】      （修正有）【課題】洗剤タンクのメンテナンス性を向上させ得る便器装置を提供する。【解決手段】便器装置は、洗浄対象に向けて洗剤を供給する管路に連通される洗剤出口２６と洗剤が投入される投入口２２とが設けられた洗剤タンク２０を備えており、洗剤タンクを収納するタンク収納部１４を便器本体に設けた構成とされ、かつ、タンク収納部に洗剤タンクが収納された状態で、洗剤タンク内の底面２９ａが洗剤出口側に向かうに従い下るように傾斜する構成とされている。【選択図】図１
2015148081.tif 000002
【特許請求の範囲】
【請求項１】
洗浄対象に向けて洗剤を供給する管路に連通される洗剤出口と洗剤が投入される投入口とが設けられた洗剤タンクを備えており、
前記洗剤タンクを収納するタンク収納部を便器本体に設けた構成とされ、かつ、該タンク収納部に前記洗剤タンクが収納された状態で、該洗剤タンク内の底面が前記洗剤出口側に向かうに従い下るように傾斜する構成とされていることを特徴とする便器装置。
【請求項２】
請求項１において、
前記洗剤タンクは、前記タンク収納部に収納された状態で周側壁部が上下に延びる構成とされ、かつ該周側壁部に対して底壁部自体が傾斜形状とされて前記底面が傾斜する構成とされていることを特徴とする便器装置。
【請求項３】
請求項２において、
前記タンク収納部の底面側には、前記洗剤タンクの前記底面を傾斜させた状態で前記底壁部を支持する支持部が設けられていることを特徴とする便器装置。
【請求項４】
請求項１乃至３のいずれか１項において、
前記洗剤タンクには、該洗剤タンク内において上下に延びるように、かつ前記洗剤出口を下端に設けた洗剤導出管が設けられていることを特徴とする便器装置。
【発明の詳細な説明】
【技術分野】
【０００１】
本発明は、便器装置に関する。
【背景技術】
【０００２】
従来より、ボウル部等の洗浄対象に向けて洗剤を供給可能な構成とされた便器装置が知られている。
例えば、下記特許文献１では、略直方体状の洗剤タンクを、便器装置の後部に設けたタンク収納空間に収納させ、この洗剤タンクから洗剤供給路を介して、ボウル洗浄水に洗剤を混入させてボウル部内に供給する構成とした便器装置が開示されている。
【先行技術文献】
【特許文献】
【０００３】
【特許文献１】特開２００９−１０８５０７号公報
【発明の概要】
【発明が解決しようとする課題】
【０００４】
しかしながら、上記特許文献１に記載された便器装置においては、略直方体状の洗剤タンクをタンク収納空間に収納させた状態では、洗剤タンク内の底面が水平状となる。そのため、洗剤タンクに貯留された洗剤の貯留レベルが低下し、洗剤供給路側に向けて洗剤が導出不能となった際における洗剤タンク内の洗剤の滞留量が比較的に多くなることが考えられる。また、貯留レベルが低下した状態で、長期間に亘って補充等のメンテナンスがなされなければ、底面側に薄層状に滞留する洗剤が固化し易くなるようなことも考えられる。
【０００５】
本発明は、上記実情に鑑みてなされたものであり、洗剤タンクのメンテナンス性を向上させ得る便器装置を提供することを目的としている。
【課題を解決するための手段】
【０００６】
上記目的を達成するために、本発明に係る便器装置は、洗浄対象に向けて洗剤を供給する管路に連通される洗剤出口と洗剤が投入される投入口とが設けられた洗剤タンクを備えており、前記洗剤タンクを収納するタンク収納部を便器本体に設けた構成とされ、かつ、該タンク収納部に前記洗剤タンクが収納された状態で、該洗剤タンク内の底面が前記洗剤出口側に向かうに従い下るように傾斜する構成とされていることを特徴とする。
【０００７】
本発明においては、前記洗剤タンクを、前記タンク収納部に収納された状態で周側壁部が上下に延びる構成とされ、かつ該周側壁部に対して底壁部自体が傾斜形状とされて前記底面が傾斜する構成としてもよい。
また、本発明においては、前記タンク収納部の底面側に、前記洗剤タンクの前記底面を傾斜させた状態で前記底壁部を支持する支持部を設けてもよい。
また、本発明においては、前記洗剤タンクに、該洗剤タンク内において上下に延びるように、かつ前記洗剤出口を下端に設けた洗剤導出管を設けてもよい。
【発明の効果】
【０００８】
本発明に係る便器装置は、上述のような構成としたことで、洗剤タンクのメンテナンス性を向上させることができる。
【図面の簡単な説明】
【０００９】
【図１】（ａ）、（ｂ）は、本発明の一実施形態に係る便器装置の一例を模式的に示し、（ａ）は、図２（ｂ）におけるＸ−Ｘ線矢視に対応させた一部破断概略縦断面図、（ｂ）は、（ａ）に対応させた一部破断概略分解縦断面図である。
【図２】（ａ）は、同便器装置を模式的に示す一部破断概略斜視図、（ｂ）は、同便器装置を模式的に示す一部破断概略平面図である。
【図３】同便器装置を模式的に示す概略斜視図である。
【発明を実施するための形態】
【００１０】
以下に本発明の実施の形態について、図面に基づいて説明する。
図１〜図３は、本実施形態に係る便器装置を模式的に示す図である。
なお、以下の実施形態では、設置された便器装置に対して立位使用状態で対面した状態を基準として、手前側を前方、その逆側を後方とし、また、その状態を基準として上下方向及び左右方向を説明する。
【００１１】
本実施形態に係る便器装置１は、図３に示すように、床等の設置面に設置される着座式の洋風便器装置であり、ボウル部（便鉢）や給排水管に接続される給排水機構等を備えている。この便器装置１の給水機構としては、ボウル部の上端に周設されたリム部及びボウル部の内壁を洗浄するように洗浄用水を供給する構成とされたものとしてもよい。また、便器装置１の排水機構としては、ボウル部の底部に設けられた排水口に接続された筒状トラップを駆動機構によって回動させて排水及び封水する構成とされたいわゆるターントラップ式のものとしてもよい。なお、排水機構としては、このような態様に限られず、サイホン式やサイホンゼット式、サイホンボルテックス式等の他の排水機構を採用するようにしてもよい。また、本実施形態では、便器装置１を、水洗タンクを備えていない、いわゆるタンクレスタイプのものとした例を示している。なお、このような態様に代えて、水洗タンクを備えた構成としてもよい。
【００１２】
また、便器装置１は、ボウル部（便器本体１０）に対して開閉自在（起倒自在）とされた便蓋及び便座と、これら便蓋及び便座が開閉自在に連結された機構ユニット１１と、を備えている。また、便器装置１に、便蓋及び便座を開閉する開閉装置や、局部洗浄装置、脱臭装置、便座や局部洗浄用水等を温める加熱装置等の各種機能装置や機能部材を設けた構成としてもよい。なお、これら各種機能装置や機能部材の一部を機構ユニット１１に収納してもよい。
また、図例では、便器装置１に、ボウル部を囲うように便器本体１０の前方側部位等を覆うスカート部や、これに連なる便器本体１０の左右側方部位等を覆うカバーを設けた例を示している。また、このようなカバーによって覆われる部位に、給排水管の接続部や各種機能装置、機能部材等を収納してもよい。
【００１３】
また、便器装置１は、図１及び図２に示すように、洗浄対象に向けて洗剤を供給する管路１９に連通される洗剤出口２６と洗剤が投入される投入口２２とが設けられた洗剤タンク２０を備えている。また、便器装置１は、洗剤タンク２０を収納するタンク収納部１４を便器本体１０に設けた構成とされている。また、便器装置１は、タンク収納部１４に洗剤タンク２０が収納された状態（収納状態）で、洗剤タンク２０内の底面２９ａが洗剤出口２６側に向かうに従い下るように傾斜する構成とされている。
この洗剤タンク２０の洗剤出口２６は、図１（ａ）に示すように、収納状態で洗剤タンク２０の下端側部位に位置するように設けられている。また、本実施形態では、この洗剤タンク２０の洗剤出口２６を、収納状態で洗剤タンク２０の後端側部位に位置するように設けている。また、本実施形態では、洗剤タンク２０を、収納状態で周側壁部２８が上下に延びる構成とし、かつこの周側壁部２８に対して底壁部２９自体が傾斜形状とされて底面２９ａが傾斜する構成としている。
【００１４】
また、便器装置１には、この洗剤タンク２０から洗浄対象に向けて洗剤を供給する洗剤供給装置が設けられている。このような洗剤供給装置としては、詳細な図示は省略しているが、洗剤タンク２０に接続される管路１９の下流側を、上記した給水機構の給水管路に接続し、洗浄用水に洗剤を混入させて供給する構成とされたものとしてもよい。つまり、洗浄対象を、ボウル部の上端に周設されたリム部及びボウル部の内壁としてもよい。この給水管路に洗剤を供給する構成としては、洗剤ポンプ等によって供給する構成としてもよく、または、給水管路にベンチュリー管状の絞り部を設けて負圧作用によって供給する構成としてもよい。また、このように、洗剤を洗浄用水に混入させて供給する場合には、空気混入部等を有した微細気泡発生部を設けて微細気泡を更に含有させて供給する構成としてもよい。または、洗浄用水に混入させずに洗剤のみを洗浄対象に向けて供給する構成としてもよい。また、管路１９の接続先は、上記したような給水機構の給水管路に限られず、例えば、局部洗浄装置のノズル部としてもよく、これらとは別途に設けられ洗浄対象としてのボウル部内面に向けて洗浄用水を供給する専用管路としてもよい。また、洗剤を混入させた洗浄用水または洗剤のみをミスト状にして噴霧する態様等とされたものとしてもよい。
【００１５】
また、本実施形態では、図１及び図２に示すように、タンク収納部１４を、洗剤タンク２０を上下方向に着脱可能に収納する構成としている。また、このタンク収納部１４を、機構ユニット１１に設けている。
機構ユニット１１は、図２及び図３に示すように、便器本体１０の後端側の上側部位に設けられ、左右方向に沿う軸廻りに便蓋及び便座を回動可能に支持する構成とされている。また、図例では、機構ユニット１１に、操作パネルや予備電源などを設けた例を示している。
また、本実施形態では、機構ユニット１１に、当該機構ユニット１１に対して開閉可能とされ、タンク収納部１４等を覆うユニットカバー１２を設けている。このユニットカバー１２は、図３に示すように、当該ユニットカバー１２がその周囲の部位と略同一平面状となるように閉状態とされる構成とされている。機構ユニット１１には、このユニットカバー１２を受け入れる凹部が設けられており、タンク収納部１４は、この凹部の底部において上方に向けて開口するように設けられている。
【００１６】
また、このユニットカバー１２の後端部を、機構ユニット１１の後端部に左右方向に沿う軸廻りに回動自在に連結した例を示している。また、このユニットカバー１２の回動側端部とは異なる側の端部（前端部）の裏面に、便器本体１０側に設けられた保持部１３に対して着脱自在に保持される被保持部１２ａを設けた例を示している。このような保持部１３及び被保持部１２ａとしては、一方にプッシュラッチ部を設け、他方にラッチ受を設けた構成としてもよく、その他、種々の構成とされたものとしてもよい。なお、本実施形態では、ユニットカバー１２を、機構ユニット１１に対して回動自在に連結した構成とした例を示しているが、機構ユニット１１に対して蓋状に着脱自在とされたもの等としてもよい。
【００１７】
タンク収納部１４は、図１及び図２に示すように、上方に向けて開口し、洗剤タンク２０を収納可能な収納凹所とされている。このタンク収納部１４は、洗剤タンク２０の概ね全体が収納可能な深さ寸法とされている。図例では、タンク収納部１４の深さ寸法を、洗剤タンク２０が僅かに突出する寸法とした例を示している。上記したユニットカバー１２は、図１（ａ）に示すように、収納状態の洗剤タンク２０に干渉しないように閉状態とされる構成とされている。
また、本実施形態では、タンク収納部１４を、水平状とされた底面１６と、この底面１６から略垂直に立ち上がる内周側面１５と、によって区画した構成としている。図例では、開口側となる上端側部位が、その下方側部位よりも大径状となるように、内周側面１５の上下方向途中部位を段形状とした例を示している。また、図例では、タンク収納部１４の底面１６及び内周側面１５を、薄板状の底壁部及び側壁部によって構成した例を示している。また、図例では、タンク収納部１４を、平面視して機構ユニット１１の左右方向一方側部位に設けた例を示している。
【００１８】
また、このタンク収納部１４に、図２（ｂ）に示すように、洗剤タンク２０に接続される管路を構成する接続口１９を設けている。本実施形態では、タンク収納部１４を、平面視して、前後方向に長尺状で、後方側部位が前方側部位よりも幅広とされた略逆凸字状（略Ｔ字状）とし、接続口１９を、後方側部位の左右方向一方側（外方側）部位に設けた構成としている。また、この接続口１９は、底面１６よりも上方側に位置するように設けられている。つまり、タンク収納部１４における、洗剤タンク２０が収納される部位は、図２（ｂ）に示すように、平面視して、前後方向途中部位において後方側部位が前方側部位よりも左右方向他方側（中央側）に屈曲したような略倒Ｚ字状とされている。
【００１９】
また、本実施形態では、タンク収納部１４の底面１６側に、洗剤タンク２０の底面２９ａを傾斜させた状態で底壁部２９を支持する支持部１７，１８を設けている。
本実施形態では、図１及び図２（ｂ）に示すように、支持部１７，１８を、タンク収納部１４の底面１６から上方に向けて突出する支持突起１７，１８としている。また、本実施形態では、タンク収納部１４の底面１６に、複数の支持突起１７，１８を設けている。本実施形態では、傾斜状態とされた洗剤タンク２０の底壁部２９の低い部位に当接される低側支持突起１７と、この底壁部２９の高い部位に当接される高側支持突起１８と、を設けた構成としている。つまり、タンク収納部１４の底面１６に、洗剤タンク２０の洗剤出口２６に近い部位に低側支持突起１７を設け、これよりも洗剤出口２６から遠い部位に高側支持突起１８を設けた例を示している。
【００２０】
これら低側支持突起１７及び高側支持突起１８の突出寸法は、底壁部２９の傾斜に応じた寸法とされ、低側支持突起１７の突出寸法よりも高側支持突起１８の突出寸法が大とされている。また、図例では、これら低側支持突起１７及び高側支持突起１８の突出方向先端面を、底壁部２９の傾斜に応じた傾斜面とした例を示している。
また、本実施形態では、平面視して、タンク収納部１４の底面１６における前方側部位の略中央部に位置するように単一の高側支持突起１８を設けた構成としている。
また、本実施形態では、左右方向に間隔を空けて複数の低側支持突起１７，１７を設けた構成としている。また、これら低側支持突起１７，１７を、タンク収納部１４の底面１６における後方側部位の前後方向略中央部に位置するように設けた構成としている。
【００２１】
なお、これら複数の支持突起１７，１７，１８を設ける位置や個数は、上記した例に限られず、適宜、変形可能である。また、複数の支持突起１７，１７，１８を設けずに、単一の支持突起を設けて支持部としてもよい。この場合は、底壁部２９の最低部（図例では後端部の下端部）を、底面１６によって当接支持させる態様としてもよい。また、このような支持突起を支持部とした態様に代えて、タンク収納部１４の底面１６自体を、底壁部２９の傾斜に応じた傾斜面とされた支持部としてもよい。さらには、洗剤タンク２０との接続口１９が支持部を構成するような態様としてもよい。
【００２２】
洗剤タンク２０は、図１に示すように、洗剤貯留空間を区画する天壁部２１、周側壁部２８及び底壁部２９を備えた有底筒状の容器とされている。これら天壁部２１、周側壁部２８及び底壁部２９は、薄板状とされ、互いに略同厚さ寸法とされている。
また、洗剤タンク２０には、取手２４が設けられている。本実施形態では、天壁部２１から上方に向けて突出するように取手２４を設けた例を示している。
また、この洗剤タンク２０は、その外郭形状が概ねタンク収納部１４に応じた形状とされ、収納状態で、厚さ方向を水平面域方向に沿わせて配される構成とされた周側壁部２８の外周面がタンク収納部１４の内周側面１５に近接対面する構成とされている。つまり、洗剤タンク２０を、収納状態で平面視して、前後方向途中部位において後方側部位が前方側部位よりも左右方向他方側（中央側）に屈曲したような略倒Ｚ字状とした例を示している。
【００２３】
天壁部２１は、周側壁部２８に対して直交状とされ、収納状態で水平状となる構成とされている。つまり、本実施形態では、天壁部２１と底壁部２９とが平行状ではなく、収納状態で水平状となる天壁部２１に対して底壁部２９が傾斜状となる構成とされている。
また、本実施形態では、投入口２２を、洗剤タンク２０の前方側部位に設けている。図例では、投入口２２を、洗剤タンク２０の前端側の周側壁部近傍部位に設けた例を示している。また、この投入口２２を、天壁部２１から上方に向けて突出するように設けられた筒部の上端において開口させるように設けた例を示している。また、図例では、この投入口２２を開閉するキャップ状の蓋部２３を設けた例を示している。この蓋部２３を開放させることで、洗剤タンク２０内に洗剤の投入（補充）が可能とされている。
【００２４】
また、本実施形態では、洗剤出口２６を、洗剤タンク２０の後方側部位に設けている。図例では、洗剤出口２６を、洗剤タンク２０の後端側の周側壁部近傍部位に設けた例を示している。この洗剤出口２６の後端側部位における左右位置は、左右方向中央部でもよく、左右方向一方側に片寄った位置としてもよい。
また、本実施形態では、洗剤タンク２０に、洗剤タンク２０内において上下に延びるように、かつこの洗剤出口２６を下端に設けた洗剤導出管２５を設けている。
この洗剤導出管２５は、洗剤タンク２０の後端側の周側壁部に沿うように設けられており、その下端に、底面２９ａに近接した位置において下方側となる底面２９ａに向けて開口するように洗剤出口２６を設けた構成とされている。
【００２５】
また、この洗剤導出管２５の天壁部２１を貫通した上端部には、タンク収納部１４に設けられた接続口１９に接続されるタンク接続部２７が設けられている。このタンク接続部２７と接続口１９とは、洗剤タンク２０のタンク収納部１４への着脱に伴い互いに接離される構成とされたものとしてもよい。つまり、洗剤タンク２０を下方側に移動させ、タンク収納部１４へ収納させれば、タンク接続口２７が接続口１９に接続される一方、洗剤タンク２０を上方側に移動させ、タンク収納部１４から脱離させれば、タンク接続口２７と接続口１９との接続が解除される構成とされたものとしてもよい。このような構成とすれば、洗剤タンク２０を着脱させる際における作業性を向上させることができる。
【００２６】
底壁部２９は、収納状態で、洗剤出口２６から遠い部位となる底面２９ａの高側部位が洗剤出口２６よりも上下方向で上方側に位置する構成とされている。また、本実施形態では、この底壁部２９を、底面２９ａが反洗剤出口側となる前端側部位から洗剤出口２６側となる後端側部位に向かうに従い下るように傾斜するように傾斜形状としている。また、本実施形態では、この底面２９ａを、収納状態で、平坦面状の傾斜面とした例を示している。なお、このような態様に代えて、底面２９ａを、洗剤出口２６に向かうに従い下るように傾斜する凹湾曲面形状等としてもよい。
この底面２９ａの水平面に対する傾斜角度は、洗剤出口２６から導出（吸出）不能となった際における洗剤タンク２０内の洗剤の滞留量を低減化させる観点や、取り外した洗剤タンク２０を置く際の安定性等の観点等から適宜、設定するようにしてもよい。例えば、この底面２９ａの水平面に対する傾斜角度（内角）を、０．５°〜４５°程度としてもよく、好ましくは、１°〜１０°程度としてもよく、図例では、２．５°程度とした例を示している。
【００２７】
なお、洗剤出口２６を周側壁部２８の近傍に位置させ、底面２６ａを、その洗剤出口２６に向けて一方向に傾斜する傾斜面とした態様に限られない。例えば、洗剤出口２６を、平面視におけるタンク中央部位等に位置させるように設け、底面２９ａを、外周側部位から中央側部位に向かうに従い言わばすり鉢状に傾斜させたような構成等としてもよい。
また、洗剤タンク２０及びタンク収納部１４の平面視した形状は、上記した例に限られず、当該便器装置１の機構ユニット１１内の内部機構等との干渉を抑制する観点等から、適宜の形状としてもよい。
また、洗剤タンク２０に、当該洗剤タンク２０内の洗剤の残量を視認可能とする残量表示部を設けてもよい。このような残量表示部としては、洗剤タンク２０自体を透光性材料から形成されたものとしてもよく、または、適宜の箇所に透光窓等を設けた構成等としてもよい。また、洗剤タンク２０内の洗剤の貯留レベルを検出するセンサー等の検出部を設け、補充レベルに低下すれば、適宜の報知部から報知可能とした構成等としてもよい。
【００２８】
本実施形態に係る便器装置１は、上述のような構成としたことで、洗剤タンク２０のメンテナンス性を向上させることができる。
つまり、洗浄対象に向けて洗剤を供給する管路（接続口）１９に連通される洗剤出口２６と洗剤が投入される投入口２２とが設けられた洗剤タンク２０を設けた構成としている。従って、上述のように洗剤を洗浄用水に混入させたりして洗浄対象としてのボウル部等に向けて供給することができ、ボウル部内面等を効果的に洗浄することができる。
また、洗剤タンク２０を収納するタンク収納部１４を便器本体１０に設けているので、このタンク収納部１４に収納することができ、見栄えを向上させることができる。
【００２９】
また、タンク収納部１４に洗剤タンク２０が収納された状態で、洗剤タンク２０内の底面２９ａが洗剤出口２６側に向かうに従い下るように傾斜する構成としている。従って、収納状態でタンクの底面が水平状となるものと比べて、洗剤タンク２０に貯留された洗剤の貯留レベルが低下し、洗剤出口２６から導出不能となった際における洗剤タンク２０内の洗剤の滞留量を少なくすることができる。これにより、洗剤タンク２０に貯留された洗剤を効果的に使用することができ、また、滞留する洗剤の固化を遅延させたり、固化した場合にも固化量を低減させることができ、洗剤タンク２０のメンテナンス性を向上させることができる。
【００３０】
また、本実施形態では、洗剤タンク２０の周側壁部２８を、収納状態で上下に延びる構成とし、かつ周側壁部２８に対して底壁部２９自体を傾斜させた形状として底面２９ａを傾斜させた構成としている。従って、例えば、収納状態で、底面が傾斜し、タンクの底壁部の外側下面が水平状となるように、底壁部の厚さ寸法を不均一としたようなものと比べて、洗剤タンク２０の軽量化を図ることができる。また、洗剤タンク自体をタンク収納部に対して傾斜させた状態で収納させる構造としたようなものと比べて、タンク収納部１４を効率的に小さくすることができる。
【００３１】
また、本実施形態では、洗剤タンク２０を、便器本体１０の後方側部位の上面側において開口するように設けられたタンク収納部１４に対して上下方向に着脱可能としている。従って、洗剤タンクを便器本体の後面側部位や左右側面側部位において水平面域方向に着脱可能としたようなものと比べて、洗剤タンク２０を、便器本体１０に対して極めて容易に着脱することができる。また、本実施形態では、上記のように、洗剤タンク２０の周側壁部２８を、収納状態で上下に延びる構成とし、天壁部２１に取手２４を設けた構成としているので、このタンク収納部１４に対して、洗剤タンク２０を上下方向により容易に着脱することができ、洗剤タンク２０のメンテナンス性をより向上させることができる。なお、このような態様に代えて、洗剤タンク２０を、便器本体１０に対して水平面域方向に着脱可能とした構成としてもよい。
【００３２】
また、本実施形態では、タンク収納部１４の底面１６側に、洗剤タンク２０の底面２９ａを傾斜させた状態で底壁部２９を支持する支持部１７，１８を設けている。従って、洗剤タンク２０を底側から安定的に支持することができる。これにより、例えば、底面２９ａを傾斜させた状態で洗剤タンク２０を保持すべく洗剤タンク２０の周側壁部２８とこれに対面されるタンク収納部１４の内周側面１５とを密着させたようなものとせずに、適度な隙間を設けることもでき、洗剤タンク２０の着脱性を向上させることもできる。なお、このような支持部１７，１８を設けずに、洗剤タンク２０の周側壁部２８とこれに対面されるタンク収納部１４の内周側面１５とを密着させ、洗剤タンク２０の底面２９ａを傾斜させた状態で保持する態様等としてもよい。また、洗剤タンク２０の底壁部２９側に、タンク収納部１４の底面１６に当接される突起部等を設けた態様としてもよい。
【００３３】
また、本実施形態では、洗剤タンク２０に、洗剤タンク２０内において上下に延びるように、かつ洗剤出口２６を下端に設けた洗剤導出管２５を設けている。従って、洗剤タンク２０の底壁部２９や周側壁部２８の下端部等において洗剤出口２６を開口させたようなものと比べて、洗剤の漏れ等を効果的に抑制することができる。これにより、洗剤タンク２０を便器本体１０から脱離させ、洗剤タンク２０に投入口２２から洗剤を補充したり、洗剤タンク２０を清掃等したりする際におけるメンテナンス性をより向上させることができる。
【００３４】
なお、本実施形態では、洗剤タンク２０に、洗剤出口２６と投入口２２とをそれぞれに設けた構成としているが、洗剤出口２６と投入口２２とを兼用させた構成としてもよい。例えば、洗剤導出管２５のタンク接続部２７に、洗剤を補充可能とした開口を設けて投入口２２としてもよく、洗剤導出管２５を、洗剤タンク２０から取り外し可能とし、洗剤タンク２０の天壁２１を貫通する開口を投入口２２と把握してもよい。
また、上記のような洗剤導出管２５を設けた態様に代えて、例えば、洗剤タンク２０の底壁部２９や周側壁部２８の下端部等において開口させるように洗剤出口２６（及び投入口２２）を設けた構成としてもよい。この場合は、適宜、洗剤タンク２０の着脱時における洗剤の漏れ等を防止する弁を設けてもよい。
【００３５】
また、本実施形態では、収納状態で、洗剤タンク２０の周側壁部２８を上下に延びる構成とし、底壁部２９自体を傾斜形状として底面２９ａを傾斜させた構成としているが、このような構成に限られない。例えば、収納状態で、底面２９ａが傾斜し、洗剤タンク２０の底壁部２９の外側下面が水平状となるように、底壁部２９の厚さ寸法を不均一としたような態様としてもよい。さらには、洗剤タンク２０自体をタンク収納部１４に対して傾斜させた状態で収納させる態様としてもよい。この場合は、タンク収納部１４内に、適宜、洗剤タンク２０を傾斜させた状態で保持する保持部等を設けるようにしてもよい。
また、本実施形態では、洗剤タンク２０を便器本体１０に対して着脱可能とした例を示しているが、このような態様に代えて、着脱不能とされた態様としてもよい。この場合は、洗剤の補充が可能なように適宜の位置に投入口２２を設けるようにしてもよい。
【符号の説明】
【００３６】
１            便器装置
１０          便器本体
１４          タンク収納部
１６          底面
１７          低側支持突起（支持部）
１８          高側支持突起（支持部）
１９          接続口（管路）
２０          洗剤タンク
２２          投入口
２５          洗剤導出管
２６          洗剤出口
２８          周側壁部
２９          底壁部
２９ａ        底面
【図１】
2015148081.tif 000003
【図２】
2015148081.tif 000004
【図３】
2015148081.tif 000005